(57)【要約】【課題】強化されたフックを備えるファスニングテープを提供する。【解決手段】ファスニングテープは、ベース、少なくとも１つのフック、及び少なくとも１つのリブを含む。少なくとも１つのフックは、ステムと、ステムの上端から縦方向に延びている係合部と、を有する。ステムは、縦方向に前縁部及び後縁部を含んでおり、少なくとも１つのフックの中心は、前縁部と後縁部との間にある。少なくとも１つのリブは、少なくとも１つのフックに横方向で隣接しており、少なくとも１つのリブの中心は、ステムの前縁部方向へ縦方向に少なくとも１つのフックの中心からオフセットされている。【選択図】図１
2019058657.tif 000002
【特許請求の範囲】
【請求項１】
ベースと、
前記ベースから突出している少なくとも１つのフックと、
前記少なくとも１つのフックに横方向で隣接して前記ベースから突出している少なくとも１つのリブと、を備え、
前記少なくとも１つのフックは、ステムと、前記ステムの上端から縦方向に延びている係合部と、を有し、
前記ステムは、縦方向に前縁部及び後縁部を含んでおり、
前記少なくとも１つのフックの中心は、前記前縁部と前記後縁部との間にあり、
前記少なくとも１つのリブの高さは、前記少なくとも１つのフックの高さよりも小さく、
前記少なくとも１つのリブの中心は、前記ステムの前記前縁部方向へ縦方向に前記少なくとも１つのフックの前記中心からオフセットされている、ファスニングテープ。
【請求項２】
前記少なくとも１つのフックは、マイクロフックであり、
前記少なくとも１つのフックの高さは、約０．５０ｍｍ未満である、請求項１に記載のファスニングテープ。
【請求項３】
前記少なくとも１つのリブは、横方向で前記ステムの前記前縁部と少なくとも部分的に重なっている、請求項１に記載のファスニングテープ。
【請求項４】
前記少なくとも１つのリブの前縁部は、前記ステムの前記前縁部と概ね整列している、請求項３に記載のファスニングテープ。
【請求項５】
前記少なくとも１つのリブは、第１リブであり、前記少なくとも１つのフックの第１側面に横方向で隣接しており、
前記ファスニングテープは、前記ベースから突出しており、前記第１リブの反対側の前記少なくとも１つのフックの第２側面に横方向で隣接している第２リブを更に備え、
前記第２リブの高さは、前記少なくとも１つのフックの前記高さよりも小さく、
前記第２リブの中心は、前記ステムの前記前縁部方向へ縦方向に前記少なくとも１つのフックの前記中心からオフセットされている、請求項１に記載のファスニングテープ。
【請求項６】
前記第１リブの前縁部及び前記第２リブの前縁部は、前記ステムの前記前縁部と少なくとも部分的に重なっている、請求項５に記載のファスニングテープ。
【請求項７】
前記第１リブの前記前縁部及び前記第２リブの前記前縁部は、前記ステムの前記前縁部と概ね整列している、請求項６に記載のファスニングテープ。
【請求項８】
前記少なくとも１つのリブは、前記ステムの前記後縁部と重なることなく前記ステムの前記前縁部と少なくとも部分的に重なっている、請求項１に記載のファスニングテープ。
【請求項９】
ベースと、
縦方向に延びている複数のフック列と、
縦方向に延びている複数のリブ列と、を備え、
前記複数のフック列の各フック列は、複数のフックを有し、
前記複数のフックの各フックは、前記ベースから突出しており、
前記複数のリブ列の各リブ列は、前記ベースから突出している複数のリブを有し、
前記複数のリブの各リブの高さは、前記複数のフックの各フックの高さよりも小さく、
前記複数のリブの少なくとも１つのリブは、前記複数のフックの少なくとも１つのフックに横方向で隣接して、前記少なくとも１つのリブの中心が縦方向で少なくとも１つのフックの中心からオフセットされている、ファスニングテープ。
【請求項１０】
前記少なくとも１つのフックは、縦方向に前縁部及び後縁部を含んでおり、
前記少なくとも１つのリブの前記中心は、前記少なくとも１つのフックの前記前縁部方向へオフセットされている、請求項９に記載のファスニングテープ。
【請求項１１】
前記少なくとも１つのリブは、縦方向に前縁部及び後縁部を含んでおり、
前記少なくとも１つのリブの前記前縁部は、前記少なくとも１つのフックの前記前縁部と概ね整列している、請求項１０に記載のファスニングテープ。
【請求項１２】
前記複数のリブ列の少なくとも１つのリブ列は、前記複数のフック列の第１フック列と第２フック列との間にあり、
前記少なくとも１つのリブ列の各リブが前記第１フック列の対応するフックに横方向で隣接して、前記少なくとも１つのリブ列の各リブの中心が前記第１フック列の前記対応するフックの中心からオフセットされている、請求項９に記載のファスニングテープ。
【請求項１３】
前記第１フック列の各フックは、前縁部及び後縁部を含んでおり、
前記少なくとも１つのリブ列の各リブは、前記第１フック列の前記対応するフックの前記前縁部と横方向で少なくとも部分的に重なっている、請求項１２に記載のファスニングテープ。
【請求項１４】
前記少なくとも１つのリブ列の各リブは、前縁部及び後縁部を含んでおり、
前記少なくとも１つのリブ列の各リブの前記前縁部は、前記第１フック列の前記対応するフックの前記前縁部と概ね整列している、請求項１３に記載のファスニングテープ。
【請求項１５】
前記少なくとも１つのリブ列は、第１リブ列であり、
前記複数のリブ列の第２リブ列は、前記第１フック列と前記第２フック列との間にあり、
前記第２リブ列の各リブが前記第２フック列の対応するフックに横方向で隣接して、前記第２リブ列の各リブの中心が前記第２フック列の前記対応するフックの中心からオフセットされ、
前記第１リブ列は、前記第２リブ列と前記第１フック列との間にあり、
前記第１リブ列の前記リブは、前記第２リブ列の前記リブから縦方向にオフセットされており、
前記第１フック列の前記フックは、前記第２フック列の前記フックから縦方向にオフセットされている、請求項１２に記載のファスニングテープ。
【請求項１６】
ベースと、
前記ベースから突出している少なくとも１つのフックと、
前記少なくとも１つのフックに横方向で隣接して前記ベースから突出している少なくとも１つのリブと、を備え、
前記少なくとも１つのフックは、ステムと、前記ステムの上端から縦方向に延びている係合部と、を有し、
前記ステムは、縦方向に前縁部及び後縁部を含んでおり、
前記少なくとも１つのリブの高さは、前記少なくとも１つのフックの高さよりも小さく、
前記少なくとも１つのリブは、前記少なくとも１つのフックの前記後縁部と重なることなく前記少なくとも１つのフックの前記前縁部と少なくとも部分的に重なっている、ファスニングテープ。
【請求項１７】
前記少なくとも１つのフックの高さは、約０．５０ｍｍ未満である、請求項１６に記載のファスニングテープ。
【請求項１８】
前記少なくとも１つのリブの前縁部は、前記ステムの前記前縁部と概ね整列している、請求項１６に記載のファスニングテープ。
【請求項１９】
前記少なくとも１つのフックの中心は、前記少なくとも１つのフックの前記前縁部と前記後縁部との間にあり、
前記少なくとも１つのリブの中心は、前記少なくとも１つのフックの前記中心からオフセットされている、請求項１６に記載のファスニングテープ。
【請求項２０】
前記少なくとも１つのリブは、第１リブであり、前記少なくとも１つのフックの第１側面に横方向で隣接しており、
前記ファスニングテープは、前記ベースから突出しており、前記第１リブの反対側の前記少なくとも１つのフックの第２側面に横方向で隣接している第２リブを更に備え、
前記第２リブの高さは、前記少なくとも１つのフックの前記高さよりも小さく、
前記第２リブの中心は、前記ステムの前記前縁部方向へ縦方向に前記少なくとも１つのフックの中心からオフセットされており、
前記第２リブは、前記ステムの前記前縁部と少なくとも部分的に重なっている、請求項１６に記載のファスニングテープ。
【発明の詳細な説明】
【技術分野】
【０００１】
この出願は、２０１７年９月２２日出願の「フックファスナー」の名称による米国特許仮出願第６２／５６１，８０５号の利益を主張するものであり、その内容は参照によって全体として本書に援用される。
【０００２】
この出願は、ファスニングテープに関し、より詳しくは、フックを補強したファスニングテープに関する。
【背景技術】
【０００３】
ポリ塩化ビニル（ＰＶＣ）といった硬質ポリマーを利用した場合、特にファスニングテープのフックが最大約０．５０ｍｍの高さである場合（本書では「マイクロフック」と称する）、ファスニングテープの製造は難しい。詳しくは、ファスニングテープを成形型から剥ぎ取る時、フックに加わる力のために、フックは亀裂を生じるか、又はファスニングテープのベースから剥離することがある。そのようなクラッキング又は層間剥離は、ファスニングテープの使用可能性を著しく低減し、それらを様々な用途に不適格にさせ得る。従って、製造中のクラッキング又は層間剥離が低減するファスニングテープ、特にマイクロフックによるファスニングテープの必要性が存在する。
【発明の概要】
【課題を解決するための手段】
【０００４】
この特許において使用される用語「発明」、「該発明」、「この発明」及び「本発明」は、この特許の内容及び以下の特許クレームの全部を幅広く指すように意図している。これらの用語を含んでいる論述は、本書に記載された内容を限定するものでもなく、以下の特許クレームの意味又は範囲を限定するものでもないと理解しなければならない。この特許によって包含される本発明の実施形態は、この概要ではなく以下のクレームによって規定される。この概要は、本発明の各種態様の高水準の概説であり、以下の詳細な説明部で更に述べる概念の一部を提示する。この概要は、請求する内容の重要また本質的な特徴を識別するように意図してもいないし、又は請求する内容の範囲を決定するために分離して使用されるように意図してもいない。内容は、この特許の明細書全体の適切な部分、一部又は全部の図面及び各請求項の参照によって理解しなければならない。
【０００５】
各種実施例によれば、ファスニングテープは、ベース、少なくとも１つのフック、及び少なくとも１つのリブを備える。少なくとも１つのフックは、ベースから突出しており、ステムと、ステムの上端から縦方向に延びている係合部と、を有する。ステムは、縦方向に前縁部及び後縁部を含んでおり、少なくとも１つのフックの中心は、前縁部と後縁部との間にある。少なくとも１つのリブは、少なくとも１つのフックに横方向で隣接してベースから突出しており、少なくとも１つのリブの高さは、少なくとも１つのフックの高さよりも小さい。少なくとも１つのリブの中心は、ステムの前縁部方向へ縦方向に少なくとも１つのフックの中心からオフセットされている。
【０００６】
特定の実施例によれば、ファスニングテープは、ベース、複数のフック列、及び複数のリブ列を備える。複数のフック列は、縦方向に延びており、各フック列は複数のフックを有し、各フックはベースから突出している。複数のリブ列は縦方向に延びている。各リブ列は、ベースから突出している複数のリブを有する。リブの高さは、フックの高さよりも小さく、複数のリブの少なくとも１つのリブは、複数のフックの少なくとも１つのフックに横方向で隣接して、少なくとも１つのリブの中心が縦方向で少なくとも１つのフックの中心からオフセットされている。
【０００７】
一部実施例によれば、ファスニングテープは、ベース、少なくとも１つのフック、及び少なくとも１つのリブを備える。少なくとも１つのフックは、ベースから突出しており、ステムと、ステムの上端から縦方向に延びている係合部と、を有する。ステムは、縦方向に前縁部及び後縁部を含んでおり、少なくとも１つのフックの長さは、ベースにおける前縁部から後縁部までの距離である。少なくとも１つのリブは、少なくとも１つのフックに横方向で隣接する位置でベースから突出している。少なくとも１つのリブの高さは、少なくとも１つのフックの高さよりも小さく、少なくとも１つのリブの長さは、少なくとも１つのフックの長さよりも小さく、少なくとも１つのリブは、少なくとも１つのフックの前縁部と少なくとも部分的に重なっている。
【０００８】
本開示に記載した各種具体化は、必ずしも本書に明白に記載されているわけではないが、以下の詳細な説明及び添付図面の考察により当業者には明らかである、付加的なシステム、方法、特徴及び利益を含み得る。そうした全部のシステム、方法、特徴及び利益は本開示の範囲内に含まれ、添付のクレームによって保護されるものと意図している。
【０００９】
以下の図の特徴及び構成要素は、本開示の一般的な原理を強調するために図示される。図全体を通じて対応する特徴及び構成要素は、整合性及び明快さのために参照数字を照合することによって指定できる。
【図面の簡単な説明】
【００１０】
【図１】本開示の態様に従ったファスニングテープの斜視図である。
【図２】図１のファスニングテープの別の斜視図である。
【図３】図１のファスニングテープの端面図である。
【図４】図１のファスニングテープの上面図である。
【図５】図１のファスニングテープの側面図である。
【図６】図１のファスニングテープのフックの斜視図である。
【図７】図１のファスニングテープのフック及びリブの側面図である。
【図８】ファスニングテープを成形するプロセスを図示している。
【発明を実施するための形態】
【００１１】
本発明の実施形態の内容は法定要件を満たすために本書では特定的に説明するが、この説明は必ずしもクレームの範囲を限定するように意図していない。請求された内容は、他のやり方で実施してよいし、異なる要素又はステップを含んでもよく、他の現行又は将来の技術と連係して使用してもよい。この説明は、個々のステップの順序又は要素の配列が明示的に述べられている場合を除き、各種ステップ又は要素間のいかなる特定の順序又は配列も意味していると解釈してはならない。とりわけ、「先導」、「後続」、「上」、「下」、「最も上」、「左」、「右」、「前」及び「後」といった方向を示す言及は、その構成要素及び方向が参照している単数又は複数の図に図示記載されている向きを指すように意図している。
【００１２】
図１〜図７は、成形プロセス中のフック変形を最小限にする、改善された強度及び安定性を有する改良されたファスニングテープ１００の実施例を図示している。ファスニングテープ１００は、縦方向１０４と、縦方向１０４に対し横に延びる横方向１０６と、を有するベース１０２を含む。また、ファスニングテープ１００は、ベース１０２から延びている少なくとも１つのフック１０８及び少なくとも１つのリブ１２６を含む。各種実施例において、少なくとも１つのリブ１２６、ベース１０２、及び少なくとも１つのフック１０８は、成形プロセス中に一体的又は一体に形成される。
【００１３】
一部実施例では、ファスニングテープ１００は、複数のフック１０８を含む。複数のフック１０８は、ベース１０２上に様々な構成で配列され得る。例えば、一部実施例では、フック１０８は、縦方向１０４に延びている１つ以上のフック列１４６（図４参照）に配列される。各種実施例において、１つのフック列１４６のフック１０８は、隣接するフック列１４６のフックと整列されるとしてよいが、他の実施例では必ずしもその必要はない。
【００１４】
図６に最も良く示されているように、各フック１０８は、ステム１１０及び係合部１１２を含む。ステム１１０は、前縁部１１４及び後縁部１１６を含み、横方向１０６で対向する側面１２８、１３０を更に含む。ファスニングテープ１００の製造中、前縁部１１４は、製造方向におけるステム１１０の最前縁部である。係合部１１２は、ステム１１０の上端から縦方向１０４に延びている。係合部１１２は、必要に応じて様々な適格な形式及び／又は形状の係合部であってよい。例えば、図１〜図７において、係合部１１２は、Ｙ字形係合部であるが、他の実施例では、係合部１１２は、Ｊ字形係合部、又は様々な他の適格な形式及び／又は形状の係合部であってよい。
【００１５】
図６に言及すれば、各フック１０８は、フック１０８がベース１０２から延びている最大距離である高さ１１８を有する。一部実施例では、各フック１０８は「マイクロ」フックであり、各フック１０８の高さ１１８は、約０．０５ｍｍ、約０．１０ｍｍ、約０．１５ｍｍ、約０．２０ｍｍ、約０．２５ｍｍ、約０．３０ｍｍ、約０．３５ｍｍ、約０．４０ｍｍ、約０．４５ｍｍ、及び／又は約０．５０ｍｍといった、約０．５０ｍｍ以下の高さである。他の実施例では、フック１０８は、マイクロフックでなくてもよく、また、高さ１１８は、０．５０ｍｍ超であってよい。各種実施例において、各フック１０８の高さ１１８は、成形プロセスに起因して変更してもよい。
【００１６】
図６に示すように、各フック１０８の長さ１２０は、フック１０８の最下端部における前縁部１１４と後縁部１１６との間の距離である。フック１０８の中心１２４は、前縁部１１４と後縁部１１６との間のほぼ中間にある。各フック１０８の長さ１２０は、成形プロセスに起因して変更してもよい。
【００１７】
図３に言及すれば、各フック１０８の幅１２２は、約０．０５ｍｍ、約０．１０ｍｍ、約０．１５ｍｍ、約０．２０ｍｍ、約０．２５ｍｍ、及び／又は約０．３０ｍｍといった、約０．３０ｍｍ以下の幅であってよい。他の実施例では、幅１２２は、約０．３０ｍｍ超であってよい。特定の態様において、ステム１１０は、各フック１０８の長さ１２０が幅１２２よりも大きいように縦方向１０４に延長される。１つの非限定的実施例として、フック１０８の長さ１２０は、約０．７３ｍｍであってよく、フック１０８の幅は約０．１５ｍｍであってよい。他の実施例では、様々な他の長さ及び幅を各フック１０８に利用してもよく、各フック１０８の長さ１２０及び／又は幅１２２は成形プロセスに起因して変更してもよい。
【００１８】
図１〜図５、及び図７に示すように、ファスニングテープ１００は、ベース１０２から延びている少なくとも１つのリブ１２６を含む。一部実施例では、ファスニングテープ１００は、複数のリブ１２６を含む。複数のリブ１２６は、ベース１０２上に様々な構成で配列され得る。例えば、一部実施例では、リブ１２６は、縦方向１０４に延びる１つ以上のリブ列１４４に配列される。図２〜図４に最も良く示されているように、各リブ１２６は、対応するフック１０８に横方向で隣接する位置でフック１０８の１つと一体又は一体的に形成される。各種実施例において、リブ１２６は、フック１０８の一方側（すなわち側面１２８又は側面１３０）にある。他の実施例では、２つのリブ１２６が単一のフック１０８に隣接している（すなわち、１つのリブ１２６がフック１０８の一方の側面１２８に隣接しており、もう一方のリブ１２６がフック１０８の他方の側面１３０に隣接している）。一部実施例では、１つのリブ列１４４のリブ１２６は、別のリブ列１４４におけるリブ１２６に対して縦方向１０４にオフセットされている。一部態様において、２つのリブ列１４４は、互いに横方向で隣接していてよい。そうした実施例において、１つのリブ列１４４のリブ１２６は、隣接するリブ列１４４におけるリブ１２６と整列されるか、又はそれとはオフセットされ得る。
【００１９】
図１〜図５、及び図７の実施例において、各リブ１２６の上端部は丸みのある輪郭を有するが、他の実施例では、リブ１２６は様々な他の輪郭を有してよい。さらに、ファスニングテープ１００の各リブ１２６の輪郭は同一である必要はない。そうしたものとして、リブ１２６の輪郭形状は本開示に関して限定的であるとみなしてはならない。
【００２０】
図７に言及すれば、各リブ１２６は、前縁部１３２及び後縁部１３４を含む。フック１０８と同様、リブ１２６の前縁部１３２は、加工中の製造方向におけるリブ１２６の最前縁部である。リブ１２６の長さ１３６は、ベース１０２における前縁部１３２から後縁部１３４までの距離である。一部実施例では、リブ１２６の長さ１３６は、フック１０８の長さ１２０よりも小さい。例えば、一部実施例では、リブ１２６の長さ１３６は、フック１０８の長さ１２０の約２分の１〜フック１０８の長さ１２０の約３分の２であるが、他の実施例では必ずしもその必要はない。１つの非限定的実施例として、長さ１２０は、約０．７３ｍｍであってよく、長さ１３６は約０．４４ｍｍ〜約０．４６ｍｍであってよい。他の実施例では、リブ１２６の長さ１３６は、フック１０８の長さ１２０よりも大きい、又はおおよそフックの長さ１２０であってよい。特定の実施例において、長さ１３６は、リブ１２６がフック１０８の前縁部１１４と少なくとも部分的に重なっている限り、任意の適格な長さであってよい。任意で、長さ１３６は、リブ１２６がフック１０８の後縁部１１６とは重ならないが、フック１０８の前縁部１１４と少なくとも部分的に重なっている限り、任意の適格な長さであってよい。各種実施例において、各リブ１２６の長さ１３６は成形プロセスに起因して変更してもよい。
【００２１】
リブ１２６の中心１３８は、前縁部１３２と後縁部１３４との間にある。一部実施例では、リブ１２６の中心１３８は、前縁部１３２と後縁部１３４との間のほぼ中間にある。図７に最も良く示されているように、各種実施例において、各リブ１２６は、リブ１２６の中心１３８が隣接するフック１０８の中心１２４からオフセットされるように設けられる。特定の実施例において、リブ１２６の中心１３８は、隣接するフック１０８の中心１２４からフック１０８の前縁部１１４方向へ前方方向にオフセットされている。図１、図５、及び図７に最も良く示されているように、一部実施例では、各リブ１２６は、隣接するフック１０８の前縁部１１４の一部分と少なくとも部分的に重なっている。各リブ１２６が隣接するフック１０８の前縁部１１４の一部分と少なくとも部分的に重なっているとは、横方向において、リブ１２６の前縁部１３２の少なくとも一部分とフック１０８の前縁部１１４の一部分との間に段差がない状態である。各種態様において、リブ１２６の前縁部１３２は、隣接するフック１０８の前縁部１１４と概ね整列されるが、他の実施例では必ずしもその必要はない。例えば、他の実施例では、リブ１２６の前縁部１３２は、前縁部１１４及び１３２が整列しないように製造方向におけるフック１０８の前縁部１１４の前方にあってよい。以下で詳述する通り、リブ１２６が隣接するフック１０８の前縁部１１４と少なくとも部分的に重なっていることにより、増大した安定性及び強度をステム１１０にもたらし、加工中のステム１１０の変形又はクラッキングを最小限にするか、又は低減する。その上、リブ１２６の中心１３８がフック１０８の中心１２４からオフセットされることにより、ファスニングテープ１００を成形するために必要な材料の量を最小限にしながら、リブ１２６はフック１０８の前縁部１１４に集中した強度及び安定性を備えることが可能となる。
【００２２】
図７に言及すれば、リブ１２６がベース１０２から延びている最大距離である各リブ１２６の高さ１４０は、隣接するフック１０８の高さ１１８よりも小さい。特定の実施例において、高さ１４０は、隣接するフック１０８の高さ１１８の約２分の１未満であるが、必ずしもその必要はない。１つの非限定的実施例において、高さ１４０は、約０．１４ｍｍ〜約０．１５ｍｍであってよく、他の実施例では、高さは０．１４ｍｍ未満及び／又は約０．１５ｍｍ超であってよい。特定の態様において、高さ１４０は、ファスニングテープ１００の使用中にリブ１２６が係合部１１２に干渉しないような適格な高さである。そのため、リブ１２６は係合部１１２にループが係止されることを妨げない。各種実施例において、各リブ１２６の高さ１４０は、成形プロセスに起因して変更してもよい。
【００２３】
図３に示すように、各リブ１２６は幅１４２を有する。一部実施例では、幅１４２は、約０．１０ｍｍ、約０．１５ｍｍ、約０．２０ｍｍ、約０．２５ｍｍ、及び／又は約０．３０ｍｍといった、約０．３０ｍｍ以下の幅であってよい。１つの非限定的実施例において、幅１４２は、約０．１５ｍｍである。特定の実施例において、リブ１２６の幅１４２は、おおよそ隣接するフック１０８の幅１２２であるが、他の実施例では必ずしもその必要はない。各リブ１２６の幅１４２は、成形プロセスに起因して変更してもよい。
【００２４】
図８に言及すれば、フック８０８を備えたファスニングテープ８００の成形プロセスは一般に押出機８５０を含み、押出機は、ダイホイール８５８が回転する際に（矢線８６０を参照）、樹脂８５２がダイホイール８５８の外面８５６上を流れるように、チャネル８５４を通じてファスニングテープ８００を成形する樹脂８５２を供給する。図８に示すように、ファスニングテープ８００がダイホイール８５８で成形された後、ファスニングテープ８００は、更なる加工のために製造方向（矢線８６２を参照）に移動する間にダイホイール８５８から剥ぎ取られる。ダイホイール８５８からファスニングテープ８００を分離するために必要な剥離力は、一般に、剥離力がフック８０８の前縁部で変形、クラッキング、層間剥離等を生じるので、一部のフック８０８の損傷を生じる。そうした損傷は、マイクロフックの寸法のために、マイクロフック（すなわち約０．５０ｍｍ以下の高さを有するフック８０８）で特に一般的である。１つの非限定的実施例として、マイクロフックを備えるファスニングテープを成形する時、フックの約３０〜４０％が剥離力によるクラッキングのために破壊されることが珍しくないかもしれない。また、剥離力による変形等のために多くの割合のマイクロフックが破壊されることも珍しくない。
【００２５】
リブのないフック８０８と比べて、ファスニングテープ１００のフック１０８は、ファスニングテープ１００を成形するための成形プロセス中、強化され安定している。詳しくは、リブ１２６の中心１３８が隣接するフック１０８の中心１２４から前方方向（すなわち剥離力によってフックの変形、クラッキング、層間剥離等を生じやすい方向）にオフセットされているので、且つ／又は、リブ１２６が隣接するフック１０８の前縁部１１４と少なくとも部分的に重なっているので、リブ１２６は隣接するフック１０８の安定性を強化し向上させる。このようなリブ１２６の配置は、成形プロセス中にファスニングテープ１００に加わる剥離力をより好適に打ち消し抵抗し、そしてフック１０８の変形、クラッキング等を最小限にするか、又は低減し、これによってファスニングテープ８００に比べてより耐久性のあるファスニングテープ１００を生産する。
【００２６】
本書に述べた概念に従った多様な種類の実施形態の追加説明を示す「ＥＣ」（実施例の組合せ）として明示的に列挙した少なくとも数例を含む例示的な実施形態の集合を以下に提示する。これらの実施例は互いに排他的、網羅的又は限定的であるように意図しておらず、本発明はこれらの例示実施形態に限定されず、むしろ、請求したクレーム及びそれらの等価物の範囲内の全部の可能な修正及び変更を包含する。
【００２７】
ＥＣ１．ファスニングテープは、ベースと、前記ベースから突出している少なくとも１つのフックと、前記少なくとも１つのフックに横方向で隣接して前記ベースから突出している少なくとも１つのリブと、を備え、前記少なくとも１つのフックは、ステムと、前記ステムの上端から縦方向に延びている係合部と、を有し、前記ステムは、縦方向に前縁部及び後縁部を含んでおり、前記少なくとも１つのフックの中心は、前記前縁部と前記後縁部との間にあり、前記少なくとも１つのリブの高さは、前記少なくとも１つのフックの高さよりも小さく、前記少なくとも１つのリブの中心は、前記ステムの前記前縁部方向へ縦方向に前記少なくとも１つのフックの前記中心からオフセットされている。
【００２８】
ＥＣ２．前記少なくとも１つのフックの高さは、約０．５０ｍｍ未満である、上記又は以降の実施例組合せのいずれかのファスニングテープ。
【００２９】
ＥＣ３．前記少なくとも１つのリブの高さは、約０．１４ｍｍ〜約０．１５ｍｍである、上記又は以降の実施例組合せのいずれかのファスニングテープ。
【００３０】
ＥＣ４．前記少なくとも１つのリブは、横方向で前記ステムの前記前縁部と少なくとも部分的に重なっている、上記又は以降の実施例組合せのいずれかのファスニングテープ。
【００３１】
ＥＣ５．前記少なくとも１つのリブの前縁部は、前記ステムの前記前縁部と概ね整列している、上記又は以降の実施例組合せのいずれかのファスニングテープ。
【００３２】
ＥＣ６．前記少なくとも１つのリブは、第１リブであり、前記少なくとも１つのフックの第１側面に横方向で隣接しており、前記ファスニングテープは、前記ベースから突出しており、前記第１リブの反対側の前記少なくとも１つのフックの第２側面に横方向で隣接している第２リブを更に備え、前記第２リブの高さは、前記少なくとも１つのフックの前記高さよりも小さく、前記第２リブの中心は、前記ステムの前記前縁部方向へ縦方向に前記少なくとも１つのフックの前記中心からオフセットされている、上記又は以降の実施例組合せのいずれかのファスニングテープ。
【００３３】
ＥＣ７．前記第１リブの前縁部及び前記第２リブの前縁部は、前記ステムの前記前縁部と少なくとも部分的に重なっている、上記又は以降の実施例組合せのいずれかのファスニングテープ。
【００３４】
ＥＣ８．前記第１リブの前記前縁部及び前記第２リブの前記前縁部は、前記ステムの前記前縁部と概ね整列している、上記又は以降の実施例組合せのいずれかのファスニングテープ。
【００３５】
ＥＣ９．前記少なくとも１つのフックの長さは、前記ベースにおける前記ステムの前記前縁部と前記後縁部の間の距離であり、前記少なくとも１つのリブの長さは、前記少なくとも１つのフックの長さよりも小さい、上記又は以降の実施例組合せのいずれかのファスニングテープ。
【００３６】
ＥＣ１０．前記係合部はＹ字形係合部を含む、上記又は以降の実施例組合せのいずれかのファスニングテープ。
【００３７】
ＥＣ１１．ベースと、縦方向に延びている複数のフック列と、縦方向に延びている複数のリブ列と、を備え、各フック列は、複数のフックを有し、各フックは、前記ベースから突出しており、各リブ列は、前記ベースから突出している複数のリブを有し、前記リブの高さは、前記フックの前記高さよりも小さく、前記複数のリブの少なくとも１つのリブは、前記複数のフックの少なくとも１つのフックに横方向で隣接して、前記少なくとも１つのリブの中心が縦方向で前記少なくとも１つのフックの中心からオフセットされている、ファスニングテープ。
【００３８】
ＥＣ１２．前記少なくとも１つのフックは、縦方向に前縁部及び後縁部を含んでおり、前記少なくとも１つのリブの前記中心は、前記少なくとも１つのフックの前記前縁部方向へオフセットされている、上記又は以降の実施例組合せのいずれかのファスニングテープ。
【００３９】
ＥＣ１３．前記少なくとも１つのリブは、縦方向に前縁部及び後縁部を含んでおり、前記少なくとも１つのリブの前記前縁部は、前記少なくとも１つのフックの前記前縁部と概ね整列している、上記又は以降の実施例組合せのいずれかのファスニングテープ。
【００４０】
ＥＣ１４．前記複数のフックの各フックは、前記ベースから突出しているステムと、前記ステムの上端から縦方向に延びている係合部と、を有する、上記又は以降の実施例組合せのいずれかのファスニングテープ。
【００４１】
ＥＣ１５．少なくとも１つのリブ列は、第１フック列と第２フック列との間にあり、前記少なくとも１つのリブ列の各リブが前記第１フック列の対応するフックに横方向で隣接して、前記少なくとも１つのリブ列の各リブの中心が前記第１フック列の前記対応するフックの中心からオフセットされている、上記又は以降の実施例組合せのいずれかのファスニングテープ。
【００４２】
ＥＣ１６．前記第１フック列の各フックは、前縁部及び後縁部を含んでおり、前記少なくとも１つのリブ列の各リブは、前記第１フック列の前記対応するフックの前記前縁部と横方向で少なくとも部分的に重なっている、上記又は以降の実施例組合せのいずれかのファスニングテープ。
【００４３】
ＥＣ１７．前記少なくとも１つのリブ列の各リブは、前縁部及び後縁部を含んでおり、前記少なくとも１つのリブ列の各リブの前記前縁部は、前記第１フック列の前記対応するフックの前記前縁部と概ね整列している、上記又は以降の実施例組合せのいずれかのファスニングテープ。
【００４４】
ＥＣ１８．前記少なくとも１つのリブ列は、第１リブ列であり、前記複数のリブ列の第２リブ列は、前記第１フック列と前記第２フック列との間にあり、前記第２リブ列の各リブが前記第２フック列の対応するフックに横方向で隣接して、前記第２リブ列の各リブの中心が前記第２フック列の前記対応するフックの中心からオフセットされている、上記又は以降の実施例組合せのいずれかのファスニングテープ。
【００４５】
ＥＣ１９．前記第１リブ列は、前記第２リブ列と前記第１フック列との間にあり、前記第１リブ列の前記リブは、前記第２リブ列の前記リブから縦方向にオフセットされており、前記第１フック列の前記フックは、前記第２フック列の前記フックから縦方向にオフセットされている、上記又は以降の実施例組合せのいずれかのファスニングテープ。
【００４６】
ＥＣ２０．前記少なくとも１つのリブの長さは、縦方向における前記少なくとも１つのフックの長さよりも小さい、上記又は以降の実施例組合せのいずれかのファスニングテープ。
【００４７】
ＥＣ２１．ベースと、前記ベースから突出している少なくとも１つのフックと、前記少なくとも１つのフックに横方向で隣接して前記ベースから突出している少なくとも１つのリブと、を備え、前記少なくとも１つのフックは、ステムと、前記ステムの上端から縦方向に延びている係合部と、を有し、前記ステムは、縦方向に前縁部及び後縁部を含んでおり、前記少なくとも１つのフックの長さは、前記ベースにおける前記前縁部から前記後縁部までの距離であり、前記少なくとも１つのリブの高さは、前記少なくとも１つのフックの高さよりも小さく、前記少なくとも１つのリブの長さは、前記少なくとも１つのフックの前記長さよりも小さく、前記少なくとも１つのリブは、前記少なくとも１つのフックの前記前縁部と少なくとも部分的に重なっている、ファスニングテープ。
【００４８】
ＥＣ２２．前記少なくとも１つのフックの高さは、約０．５０ｍｍ未満である、上記又は以降の実施例組合せのいずれかのファスニングテープ。
【００４９】
ＥＣ２３．前記少なくとも１つのリブの高さは、約０．１４ｍｍ〜約０．１５ｍｍである、上記又は以降の実施例組合せのいずれかのファスニングテープ。
【００５０】
ＥＣ２４．前記少なくとも１つのリブの前縁部は、前記ステムの前記前縁部と概ね整列している、上記又は以降の実施例組合せのいずれかのファスニングテープ。
【００５１】
ＥＣ２５．前記少なくとも１つのフックの中心は、前記少なくとも１つのフックの前記前縁部と前記後縁部との間にあり、前記少なくとも１つのリブの中心は、前記少なくとも１つのフックの前記中心からオフセットされている、上記又は以降の実施例組合せのいずれかのファスニングテープ。
【００５２】
ＥＣ２６．前記少なくとも１つのリブは、第１リブであり、前記少なくとも１つのフックの第１側面に横方向で隣接しており、前記ファスニングテープは、前記ベースから突出しており、前記第１リブの反対側の前記少なくとも１つのフックの第２側面に横方向で隣接している第２リブを更に備え、前記第２リブの高さは、前記少なくとも１つのフックの前記高さよりも小さく、前記第２リブの中心は、前記ステムの前記前縁部方向へ縦方向に前記少なくとも１つのフックの前記中心からオフセットされている、上記又は以降の実施例組合せのいずれかのファスニングテープ。
【００５３】
ＥＣ２７．前記第１リブの前縁部及び前記第２リブの前縁部は、前記ステムの前記前縁部と少なくとも部分的に重なっている、上記又は以降の実施例組合せのいずれかのファスニングテープ。
【００５４】
ＥＣ２８．前記第１リブの前記前縁部及び前記第２リブの前記前縁部は、前記ステムの前記前縁部と概ね整列している、上記又は以降の実施例組合せのいずれかのファスニングテープ。
【００５５】
ＥＣ２９．前記少なくとも１つのフックの長さは、前記ベースにおける前記ステムの前記前縁部と前記後縁部との間の距離であり、前記少なくとも１つのリブの長さは、前記少なくとも１つのフックの長さよりも小さい、上記又は以降の実施例組合せのいずれかのファスニングテープ。
【００５６】
ＥＣ３０．前記係合部はＹ字形係合部を含む、上記又は以降の実施例組合せのいずれかのファスニングテープ。
【００５７】
上記の態様は、単に本開示の原理の明確な理解のために述べた、具体化の想定可能な実施例にすぎない。本開示の精神及び原理を逸脱しなければ上記の実施形態（複数も）には多くの変更及び修正をなすことができる。全部のそうした修正及び変更はここで本開示の範囲内に含まれるべく意図しており、個々の態様又は要素若しくはステップの組合せに対する全部の可能なクレームは本開示によって支持されるべく意図している。さらに、特定的な用語を本書のほか後続のクレームにおいて使用しているが、それらは一般的且つ記述的な意味だけで使用されており、記載された本発明も後続のクレームも限定するためのものではない。
【符号の説明】
【００５８】
１００  ファスニングテープ
１０２  ベース
１０４  縦方向
１０６  横方向
１０８  フック
１１０  ステム
１１２  係合部
１１４  前縁部
１１６  後縁部
１１８  フックの高さ
１２０  フックの長さ
１２２  フックの幅
１２４  フックの中心
１２６  リブ
１２８、１３０  側面
１３２  リブの前縁部
１３４  リブの後縁部
１３６  リブの長さ
１３８  リブの中心
１４０  リブの高さ
１４２  リブの幅
１４４  リブ列
１４６  フック列
８００  ファスニングテープ
８０８  リブのないフック
８５０  押出機
８５２  樹脂
８５４  チャネル
８５６  外面
８５８  ダイホイール
【図１】
2019058657.tif 000003
【図２】
2019058657.tif 000004
【図３】
2019058657.tif 000005
【図４】
2019058657.tif 000006
【図５】
2019058657.tif 000007
【図６】
2019058657.tif 000008
【図７】
2019058657.tif 000009
【図８】
2019058657.tif 000010